(57)【要約】【課題】  リンス補給時期を正しく報知する技術を提供する。また、補給時期を指示するのに要するエネルギーを節約する。さらに、補給時期の報知が見落とされないようにする技術を提供する。そして、簡単な構成で１回あたりのリンス投入量を均質化する。【解決手段】  リンスタンク本体６８内にフロート７７が配設され、リンス液面の水位が監視されている。リンス残量が所定量以下となるとＬＥＤ７４が点灯する。ＬＥＤ７４は引出しを引出したときのみ点灯する。リンス補給口蓋６５に組み込まれた導光柱体６６を介してＬＥＤ７４の点灯を視認することができる。  また、リンスタンク本体６８内のリンスの残量が所定量以下となると、リンス投入弁６９の開放時間を長くする。【選択図】  図３
2005168523.tif 000002
【特許請求の範囲】
【請求項１】
複数回分のリンスを貯留可能なリンスタンクと、
そのリンスタンクから洗浄槽内にリンスを投入するリンス投入口と、
そのリンス投入口を開閉するリンス投入弁と、
そのリンス投入弁の開閉を制御する制御部と、
前記リンスタンク内のリンス残量を検出する手段と、
前記検出手段が検出するリンス残量が所定量以下となったことを表示する表示器と
を備えたことを特徴とする食器洗浄機。
【請求項２】
前記検出手段が所定量以下のリンス残量を検出したとき、前記制御部が１回あたりのリンス投入弁の開放時間を長くすることを特徴とする請求項１の食器洗浄機。
【請求項３】
前記洗浄槽は引出式であり、前記表示器は洗浄槽内側で点灯する表示ランプを備え、その表示ランプは、リンス残量が所定量以下でありしかも洗浄槽が引出されたときのみ点灯することを特徴とする請求項１又は２の食器洗浄機。
【請求項４】
前記表示ランプが点灯したことが、前記リンスタンクにリンスを補給する補給口を覆うキャップに設けられた窓から観測されることを特徴とする請求項３の食器洗浄機。
【発明の詳細な説明】
【技術分野】
【０００１】
本発明は食器洗浄機に関し、詳しくはリンスを自動投入することができる食器洗浄機に関する。
【背景技術】
【０００２】
食器洗浄機では、食器類を洗浄するための洗剤の他に、洗い上がりの食器類の良好な光沢を得るために、あるいは水きりをよくして食器類の乾燥を早めるために、洗浄仕上げ剤であるリンスを使用することが好ましい。食器洗浄機には、予めプログラムされた工程に従って、洗剤とリンスを自動投入する投入装置を備えたものが開発されている。
洗剤については、投入装置に１回分の洗剤を入れてから食器洗浄機の運転を開始する構成となっており、洗浄工程中の適切なタイミングで洗剤投入口が開放され、１回分の洗剤が投入される構成が採用されている。リンスについては、１回あたりのリンス使用量が微量であることから、複数回分のリンスを貯留しておくことができるリンスタンクを利用する。洗浄工程中の適切なタイミングでリンス投入弁が作動してリンス投入口を開き、１回分のリンスが投入される構成が採用されている。
【０００３】
洗剤については、１回分の洗剤を毎回補給する構成となっているために、入れ忘れることはほとんど無い。それに対してリンスは、複数回分のリンスをリンスタンクに一度に補給してしまうため、リンスタンク内のリンス残量が少なくなっていることに気づかずに食器洗浄機を運転させてしまいがちである。
【０００４】
特許文献１の食器洗浄機では、洗浄工程が完了する度に１ずつ増やすカウンタを設け、カウント値が設定値になるとリンスの補給時期となったことを報知する技術を採用している。
【特許文献１】特開平６−３２７６０８号公報
【発明の開示】
【発明が解決しようとする課題】
【０００５】
上記特許文献１の食器洗浄機では、リンスタンク内のリンス残量が所定量に減少するであろう洗浄回数だけ洗浄したときにリンスの補給時期となったことを報知する。
１回あたりのリンス投入量は一定に維持されることが好ましい。理想どおりであれば、リンス使用量と洗浄回数は比例する。しかしながら、実際には１回あたりのリンス投入量を一定に維持することは難しい。もともと微量な１回あたりのリンス投入量を正確に制御することは難しい。時間の経過とともにリンスの粘性が徐々に高まってリンスの流動性が変化する現象も生じることから、１回あたりのリンス投入量を一定に維持することは難しい。洗浄回数からリンス使用量を推定してリンス補給時期を報知する技術には、不安が残されている。
【０００６】
本発明の１つの目的は、リンス補給時期を正しく報知する技術を提供することである。他の１つの目的は、補給時期を指示するのに要するエネルギーを節約することである。さらに他の１つの目的は、補給時期の報知が見落とされないようにする技術を提供することである。本発明はまた、簡単な構成で１回あたりのリンス投入量を均質化することをも目的とする。
【課題を解決するための手段】
【０００７】
本発明の食器洗浄機は、複数回分のリンスを貯留可能なリンスタンクと、リンスタンクから洗浄槽内にリンスを投入するリンス投入口と、リンス投入口を開閉するリンス投入弁と、リンス投入弁の開閉を制御する制御部と、リンスタンク内のリンス残量を検出する手段と、残量検出手段が検出するリンス残量が所定量以下となったことを表示する表示器を備えている。
本発明の食器洗浄機は、リンスタンク内のリンス残量を検出する手段と、残量検出手段が検出した残量が所定量以下となったことを表示する表示器を備えていることから、リンス残量が少なくなってリンスを補給するべき時期となったことを直接的に検出して表示することができる。洗浄回数から間接的にリンス残量を検出する技術に比して、補給するべき時期を正確に検出して表示することができる。
【０００８】
リンス残量検出手段が所定量以下のリンス残量を検出したとき、リンス投入弁の制御部が１回あたりのリンス投入弁の開放時間を長くすることが好ましい。
タンク内のリンス残量が減少して液位が低下すると、単位時間あたりにリンス投入口を通過するリンス量は低下する。タンク内のリンス残量が減少して液位が低下したときにも１回あたりのリンス投入弁の開放時間を一定にしていると、１回あたりのリンス投入量は減少してしまう。それを補償して１回あたりのリンス投入量が減少しないようにするためには、１回あたりのリンス投入弁の開放時間を長くする必要がある。
リンス残量検出手段が所定量以下のリンス残量を検出したときにリンス投入弁の制御部が１回あたりのリンス投入弁の開放時間を長くすると、単位時間あたりのリンス投入量の低下が補償され、１回あたりのリンス投入量が均質化される。
【０００９】
洗浄槽が引出式である場合、洗浄槽内側で点灯する表示ランプを設け、その表示ランプが、リンス残量が所定量以下でありしかも洗浄槽が引出されたときのみ点灯するように構成することが好ましい。
洗浄槽が引出式であれば、その引出しを引出して食器を収容する。このときに表示ランプが点灯していれば、リンスを補給する必要があることが直ちに認識される。表示ランプを洗浄槽内側に設けておけば、引出しを引出したときにのみ点灯させればよく、洗浄機表面に表示ランプを設けるのに比して点灯時間を短くすることができ、消費電力を抑えることができる。
【００１０】
リンス残量の不足を知らせる表示ランプが点灯したことが、リンスタンクにリンスを補給する補給口を覆うキャップに設けられた窓から観測されることが好ましい。
この場合、リンス残量の不足のみならず、リンス補給口の存在位置までをもついでに表示することができる。操作者は、容易に補給口の位置を知り、リンスを補給することができる。またランプの点灯を観測した者は、その位置がリンス補給口であることから、点灯の意味を直ちに理解することができる。
【発明を実施するための最良の形態】
【００１１】
以下に説明する実施例の主要な特徴を最初に列記する。
（形態１）  リンスタンクは、食器洗浄機本体の前部開口を塞ぐ、洗浄槽の扉に内蔵されており、リンス補給口やリンス投入口は扉の内面に形成されている。
（形態２）  リンスタンク内にフロートとフロート高さセンサが配設されており、リンスの液面高さを検出することによってリンス残量を検出する。
（形態３）  洗浄槽が引出されており、しかもリンス残量が所定量以下であるときにのみＬＥＤが点灯する。
（形態４）  ＬＥＤは透明または半透明のリンスタンクの外面に装着されている。リンス補給口の蓋に透明な導光柱体が組込まれている。ＬＥＤが点灯すると、操作者は、リンスタンクの壁と導光柱体を介してＬＥＤの点灯を視認することができる。
【実施例】
【００１２】
図１は、本実施例の食器洗浄機の概略断面図を示す。なおこの図では、通常において食器洗浄機が有する部品が適宜省略されている。
食器洗浄機２は、洗浄機本体１０によって外枠が構成されている。洗浄機本体１０の内部には、洗浄槽１２が収容されている。洗浄槽１２の前側（図１では左側）には、扉３４が取付けられている。扉３４の上部には、操作パネル２８が設けられている。操作パネル２８には、電源スイッチ、スタート／一時停止スイッチ、コース（「標準コース」「念入りコース」等）選択スイッチ等の各種操作スイッチや、報知ランプが備えられており、制御部３２に電気的に接続されている。制御部３２は、食器洗浄機２の各部品の動作を制御する。
【００１３】
洗浄槽１２の背面の中間部の開口１２ａは、給水管１１の一端と繋がっている。給水管１１の途中には、給水弁８４が設けられており、給水管１１の他端１１ａから給水される。
洗浄槽１２の底部には、開口部４９が形成されている。開口部４９の下方には、水溜め部５２が設けられている。
水溜め部５２には、洗浄水循環管５４、排水管５６の一端が接続されている。洗浄水循環管５４は、洗浄水が循環する管であり、その途中には、洗浄ポンプ５９が設けられている。洗浄水循環管５４の他端５４ａは、洗浄槽１２の内部に達している。洗浄水循環管５４の他端５４ａは、回転ノズル５８に接続されている。
排水管５６の途中には、排水ポンプ７６が設けられている。排水管５６の他端５６ａから洗浄機本体１０の外部に排水される。
洗浄槽１２の背面の下部の開口１２ｂは、空気通路４４の一端と繋がっている。空気通路４４の他端は乾燥ファン４６に連通している。乾燥ファン４６が回転すると、洗浄槽１２の外部の空気が空気通路４４を通って洗浄槽１２内に導入される。洗浄槽１２の開口１２ｂの近傍にヒーター４２が配設されている。洗浄槽１２内に導入された空気は、ヒーター４２によって温められる。
【００１４】
扉３４にはリンス投入装置６０が内蔵されている。図２は、扉３４に内蔵されたリンス投入装置６０を扉３４の内側から見た図である。扉３４内部に配設された部材については破線によって模式的に示してある。なお、以降では、扉３４の内側をリンス投入装置６０の前方とし、扉３４の外側をリンス投入装置６０の後方とする。リンス投入装置６０の前面の基板６２は略矩形状であり、扉３４の内面の開口部３４ａに後方からパッキン（図示省略）を介して嵌め込まれ、前方からビス止めされている。基板６２の右側上部に、上部に向かうほど前方に突出した突出部６２ａが形成されている。突出部６２ａの上面にはリンス補給口６４が形成されている。リンス補給口蓋６５がリンス補給口６４に脱着可能とされており、捻ることで固定され、反対方向に捻ることで緩められる。リンス補給口蓋６５は略円盤形状であり、軸部に樹脂製であって透明な導光柱体６６が組込まれている。
基板６２の下部にはリンス投入口６７が設けられている。リンス投入口６７は横長の矩形状である。
【００１５】
基板６２の後方側にはリンスタンク本体６８と、リンク部材７０と、駆動部材７２が配設されている。リンスタンク本体６８は透明または半透明な樹脂製であって、基板６２の裏面に固定される側が開放されており、基板６２の裏面に固定することによって基板６２とあいまって密封空間を形成する。リンスタンク本体６８は、図２中向かって右側から左側へ伸びる逆Ｌ字形状を呈している。
図３は、図２のIII−III線縦断面図である。図３に示すように、リンスタンク本体６８の後面上部からは、後方に向かってＬＥＤ座６８ａが突設されている。ＬＥＤ座６８ａにはＬＥＤ７４が装着されている。また、リンスタンク本体６８の底部からは下方に向かって底部ボス６８ｂが突設されており、底部ボス６８ｂの内側には穴６８ｃが形成されている。
底部ボス６８ｂの内側には、筒状のセンサホルダ７５が挿入され、センサホルダ７５の内部に非接触式センサ（近接スイッチ）７１が挿入されている。筒状のセンサホルダ７５の上面にはフロート７７の上下動を案内するロッド７５ｂが固定されている。案内ロッド７５ｂの回りにリング状のフロート７７が環装されている。フロート７７の内面にはマグネット７７ａが固定されている。マグネット７７ａはリンス液面のレベルに応じて浮沈する。案内ロッド７５ｂの上端近傍には、フロート７７がそれ以上に上昇して案内ロッド７５ｂから抜け出すのを禁止するストッパ７５ｃが固定されている。底部ボス６８ｂとセンサホルダ７５は溶着されて液密が確保されている。
本実施例のリンスタンク本体６８の容量は９０ｇである。リンス残量が３０ｇ以上であると、フロート７７は上昇しており、非接触式センサ（近接スイッチ）７１からマグネット７７ａまでの距離が遠く、非接触式センサ７１はオフされている。リンス残量が３０ｇ以下に減少すると、フロート７７は下降し、非接触式センサ７１からマグネット７７ａまでの距離が近接し、非接触式センサ７１はオンする。
リンス液面が所定レベル以下になると、非接触式センサ７１がオンする。その信号は制御部３２に送られ、制御部３２は、洗浄槽１２が洗浄機本体１０から引出され、しかも、非接触式センサ７１がオンしている場合にＬＥＤ７４を点灯させる。
前述のように、リンスタンク本体６８は透明または半透明であり、また、リンス補給口蓋６５に透明な導光柱体６６が組込まれている。このため、ＬＥＤ７４の点灯は、リンスタンク本体６８の壁と導光柱体６６を介して、操作者に視認される。扉３４が締められれば、ＬＥＤ７４は消灯する。
【００１６】
図２に示すように、リンスタンク本体６８の左下部のＬ字端に、リンス投入弁６９が配設されている。図４は図２のIV−IV線横断面図である。リンス投入弁６９が開けられたときを図５に示す。図４と図５に示すように、リンス投入弁６９は、弁座６９ａと、弁体６９ｂと、弁体付勢ばね６９ｃと、押え部材６９ｄを備えている。弁座６９ａはリンスタンク本体６８に固定されている。弁体６９ｂは、シール部６９ｅとシャフト部６９ｆを備えている。シール部６９ｅは、ゴム製であってダイアフラム状の略円板状を呈している。シャフト部６９ｆは樹脂製であって図中左右方向に長尺な矩形板形状を呈している。シール部６９ｅはシャフト部６９ｆの右端部に固定されている。シャフト部６９ｆの左端部には切欠き状のフック６９ｇが形成されている。弁体付勢ばね６９ｃはシャフト部６９ｆに環装されている。押え部材６９ｄは樹脂製であって右側に開口する有底円筒形状を呈している。押え部材６９ｄは弁座６９ａに固定されている。押え部材６９ｄと弁座６９ａとによって区画されるスペースには、弁体付勢ばね６９ｃが環装された弁体６９ｂが収容されている。押え部材６９ｄの左底壁にはシャフト貫通孔６９ｈが形成されている。シャフト部６９ｆのフック６９ｇは、シャフト貫通孔６９ｈから外部（図中左側）に突出している。弁体付勢ばね６９ｃは、シール部６９ｅと押え部材６９ｄとの間で圧縮されている。換言すれば、弁体付勢ばね６９ｃは、シール部６９ｅを弁座６９ａの方向に付勢している。
【００１７】
図２に示すように、駆動部材７２は、突起部７２ａと、釘部７２ｂを備えている。突起部７２ａはソレノイドの電磁力によって図中右方向に引込まれる。突起部７２ａは、図示しないばねが環装されており、ばねによって図中左方向に付勢されている。
リンク部材７０は、樹脂製であり、上下方向に長尺な板部材である。リンク部材７０は、第１アーム部７０ａと第２アーム部７０ｂを備えている。第１アーム部７０ａと第２アーム部７０ｂは、前後方向に水平に伸びる軸７０ｃを中心として揺動する。第１アーム部７０ａの下部には前方に伸びるリブ７０ａ１が形成されている。第２アーム部７０ｂの上部後側には係合部７０ｂ１が形成されている。駆動部材７２の釘部７２ｂは、リンク部材７０の第２アーム部７０ｂの係合部７０ｂ１と係合している。一方リンク部材７０の第１アーム部７０ａのリブ７０ａ１は、リンス投入弁６９のフック６９ｇと係合している。
【００１８】
リンス投入弁６９の開閉動作について図２と図４と図５を用いて説明する。図２に示す駆動部材７２に通電されると、突起部７２ａと釘部７２ｂが図中右方向に引込まれる。釘部７２ｂはリンク部材７０の第２アーム部７０ｂの係合部７０ｂ１と係合しており、釘部７２ｂが図２中右方向に移動するのに伴って、第２アーム部７０ｂが軸部７０ｃを中心として時計回りに揺動する。第２アーム部７０ｂが揺動すると、第１アーム部７０ａも一体となって揺動するため、第１アーム部７０ａも軸部７０ｃを中心として時計回りに揺動する。第１アーム部７０ａのリブ７０ａ１は図４に示すリンス投入弁６９のフック６９ｇと係合しており、第１アーム部７０ａが時計回りに揺動するのに伴って、フック６９ｇ即ち弁体６９ｂが図中左方向へ引っ張られる。このため、図５に示すように、シール部６９ｅは弁体付勢ばね６９ｃの付勢力に抗して弁座６９ａから離座する。このときできるシール部６９ｅと弁座６９ａとの隙間を介して、リンスタンク本体６８内に貯留されていたリンスが図中矢印で示すようにリンス投入口６７を介して洗浄槽１２内に投入される。
駆動部材７２への通電が遮断されると、突起部７２ａと釘部７２ｂは突起部７２ａに環装されているばねの付勢力によって図中左方向に復元する。これに伴って、第２アーム７０ｂと第１アーム７０ａは元の位置（図２に示す位置）に戻る。そして、弁体６９ｂは弁体付勢ばね６９ｃの付勢力によって図中右方向に移動し、図４に示すようにシール部６９ｅは弁座６９ａに着座する。これによって、リンスの投入が終了する。
【００１９】
図６はリンスの積算流出量と、一定量（０．５ｇ）のリンスを投入するのに必要な時間の関係を示すグラフである。図６に示されているように、リンスタンク本体６８内にリンスが多量に貯留されているときから残量が徐々に減少していくのに従って、一定量のリンスを投入するのに必要な時間は長くなる。これは、リンスタンク本体６８内の水圧の変化による。リンスタンク本体６８内のリンスの残量が減少して液位が低下すると、単位時間あたりにリンス投入口６７を通過するリンス量は低下する。リンスタンク本体６８内のリンス残量が減少して液位が低下したときにも１回あたりのリンス投入弁の開放時間を一定にしていると、１回あたりのリンス投入量は減少してしまう。
本実施例の食器洗浄機２では、リンスの残量が３０ｇに達する時をフロート７７によって検知する。リンスが３０ｇ以下になったことが検知されると、制御部３２においてフロートスイッチがオンされる。フロートスイッチがオンされると、先述のようにＬＥＤ７４が点灯する。そしてこれに加え、駆動部材７２への通電時間が２倍時間となる。即ち、フロートスイッチがオフの間は、駆動部材７２への通電時間が０．２秒間であるのに対し、フロートスイッチがオンとなると、駆動部材７２への通電時間が０．４秒間となる。このように駆動部材７２への通電時間が制御されることによって、シール部６９ｅが弁座６９ａから離座している時間が制御され、つまりはリンス投入弁６９の開放時間が制御されることとなる。このことによって、リンス残量が減少して液位が低下したときであっても、単位時間あたりのリンス投入量の低下が補償され、１回あたりのリンス投入量が均質化される。
【００２０】
図７は本実施例の食器洗浄機２の動作を示すフローチャートである。
操作者は、まず図１の操作パネル２８を操作する前に、扉３４とともに洗浄槽１２を手前に引出して、食器かご１４に食器類１６を並べる。次に食器洗浄機用の専用洗剤を適切量投入する。このとき、先述のリンス補給口蓋６５に組込まれた導光柱体６６が点灯していれば、操作者は、リンス補給口蓋６５を開け、リンスを補給する。扉３４とともに洗浄槽１２を洗浄機本体１０内に押戻し、操作パネル２８を操作して運転を開始させる。
運転の開始によってステップＳ１０で排水される。ステップＳ１２に進み、給水されて予洗い洗浄が行われる。所定時間経過後、排水されて予洗い洗浄が終了する。
ステップＳ１４に進み、給水されて加熱洗浄（本洗浄）が行われる。所定時間経過後、排水されて加熱洗浄が終了する。
ステップＳ１６に進み、給水されて非加熱すすぎが行なわれ、所定時間経過後、排水される。これが３回繰り返された後、排水されて非加熱すすぎが終了する。
【００２１】
ステップＳ１８に進み、給水されて加熱すすぎが行われる。所定温度まで上昇すると（ステップＳ２０でＹＥＳとなると）、リンスを投入するのに先立って、ステップＳ２２に進んで排水ポンプ７６が一時停止される。排水ポンプ７６を停止することなくリンス投入弁６９を開放すると、リンス投入口６７から洗浄槽１２内の洗浄水がリンスタンク本体６８内に逆流してしまうためである。さらに、ステップＳ２４に進み、先述のフロートスイッチがオフであるか否かが判別される。フロートスイッチがオフであるとき（ステップＳ２４でＹＥＳのとき）は、リンス残量が３０ｇ以上あるとみなされて、ステップＳ２６に進んで駆動部材７２への通電が０．２秒間なされる。一方、フロートスイッチがオンであるとき（ステップＳ２４でＮＯのとき）は、リンス残量が３０ｇ未満であるとみなされて、ステップＳ２８に進んで駆動部材７２への通電が０．４秒間なされ、同時にＬＥＤ７４を点灯させる。駆動部材７２への通電が行われることによって、リンス投入弁６９が開放され、リンス投入口６７からリンスが流入する（ステップＳ３０）。所定時間（０．２秒間、または０．４秒間）経過後は、弁体付勢ばね６９ｃの付勢力によってリンス投入弁６９は閉じられ、リンスの投入が終了する。ステップＳ３２に進み、再び洗浄ポンプ５９が駆動すると、リンスの混入した温水によって加熱すすぎが再開される。所定時間経過後、排水されて加熱すすぎが終了する。
ステップＳ３４に進み、乾燥ファン４６が駆動して洗浄槽１２内に空気が取り込まれる。この空気はヒーター４２に加熱されて温風となって洗浄槽１２内の食器類１６に吹き付けられる。所定時間経過後、乾燥ファン４６を停止し、乾燥運転が終了する。ステップＳ３６に進んで全ての運転動作が終了したことをブザーによって報知し、本実施例の食器洗浄機２は自動停止する。
【００２２】
本実施例の食器洗浄機２では、リンスタンク本体６８内にフロート７７が配設され、リンス液面の水位が監視されている。そして、リンス残量が所定量（３０ｇ）以下となると、ＬＥＤ７４が点灯する。ＬＥＤ７４はエンプティランプとして機能し、操作者は、リンス補給口蓋６５に組み込まれた導光柱体６６を介してＬＥＤ７４の点灯を視認し、リンスを補給する必要があることを直ちに認識することができる。ＬＥＤ７４や導光柱体６６は洗浄槽１２内側に設けられているため、引出しを引出したときにのみ点灯させればよく、食器洗浄機表面に表示ランプを設けるのに比して点灯時間を短くすることができ、消費電力を抑えることができる。
また、リンスタンク本体６８のリンス補給口蓋６５に組み込まれた導光柱体６６を介してＬＥＤ７４の点灯が観測できることから、リンス残量の不足のみならず、リンス補給口蓋６５の存在位置までをもついでに表示することができる。操作者は、容易にリンス補給口蓋６５の位置を知り、リンスを補給することができる。またランプの点灯を観測した者は、その位置がリンス補給口蓋６５であることから、点灯の意味を直ちに理解することができる。
また、リンスタンク本体６８内のリンスの残量が減少して液位が低下すると、単位時間あたりにリンス投入口６７を通過するリンス量は低下する。リンスタンク本体６８内のリンス残量が減少して液位が低下したときにも１回あたりのリンス投入弁６９の開放時間を一定にしていると、１回あたりのリンス投入量は減少してしまう。しかし、本実施例では、リンスタンク本体６８内のリンスの残量が所定量（３０ｇ）以下となると、リンス投入弁６９の開放時間を長く（２倍時間に）する。このことによって、リンス残量が減少して液位が低下したときであっても、単位時間あたりのリンス投入量の低下が補償され、１回あたりのリンス投入量が均質化される。
【００２３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００２４】
【図１】本実施例の食器洗浄機の概略断面図。
【図２】リンス投入装置を扉の内側から見た図。
【図３】図２のIII−III線縦断面図。
【図４】図２のIV−IV線横断面図（リンス投入弁閉）。
【図５】図２のIV−IV線横断面図（リンス投入弁開）。
【図６】リンスの積算流出量と、一定量のリンスを投入するのに必要な時間の関係を示すグラフ。
【図７】本実施例の食器洗浄機の動作を示すフローチャート。
【符号の説明】
【００２５】
２：食器洗浄機
１０：洗浄機本体
１２：洗浄槽
３４：扉
６０：リンス投入装置
６２：基板
６４：リンス補給口
６５：リンス補給口蓋
６６：導光柱体
６７：リンス投入口
６８：リンスタンク本体
６９：リンス投入弁、６９ａ：弁座、６９ｂ：弁体、６９ｃ：弁体付勢ばね、６９ｄ：押え部材、６９ｅ：シール部、６９ｆ：シャフト部、６９ｇ：フック、６９ｈ：シャフト貫通孔
７０：リンク部材、７０ａ：第１アーム部、７０ａ１：リブ、７０ｂ：第２アーム部、７０ｂ１：係合部、７０ｃ：軸
７１：非接触式センサ
７２：駆動部材、突起部７２ａ、釘部７２ｂ
７４：ＬＥＤ
７５：センサホルダ、７５ａ：、７５ｂ：ロッド、７５ｃ：ストッパ
７７：フロート
【図１】
2005168523.tif 000003
【図２】
2005168523.tif 000004
【図３】
2005168523.tif 000005
【図４】
2005168523.tif 000006
【図５】
2005168523.tif 000007
【図６】
2005168523.tif 000008
【図７】
2005168523.tif 000009